(57)【要約】【課題】キセノン放電管の発光による被写体照明のできる閃光発光器であって、カメラ付携帯電話機に内蔵することができる閃光発光器を提供すること。【解決手段】ＤＣ−ＤＣコンバ−タによって予め充電された主コンデンサ２７の充電エネルギ−をカメラ撮影に伴って放電させてキセノン放電管２８を発光させる閃光発光回路を備え、さらに、上記の主コンデンサ２７は、４つのチップ型セラミックコンデンサ２７ａ、２７ｂ、２７ｃ、２７ｄを並列接続した構成とし、カメラ付携帯電話機に内蔵できるようになっている。【選択図】        図１
2004171820.tif 000002
【特許請求の範囲】
【請求項１】
カメラ付携帯電話機に内蔵する閃光発光器において、
主コンデンサを予め充電し、その充電エネルギ−をカメラ撮影に伴って放電させてキセノン放電管を発光させる閃光発光手段を備え、
さらに、上記の主コンデンサは、並列接続した複数のチップ型コンデンサによって構成したことを特徴とする閃光発光器。
【発明の詳細な説明】
【０００１】
【発明の属する技術分野】
この発明は、カメラ付携帯電話機に備えるカメラ撮影照明用の閃光発光器に関する。
【０００２】
【従来の技術】
図３は、電子カメラ（デジタルカメラ）を備えた携帯電話機の一例を示す簡略図である。
この携帯電話機は、上面にボタンキ−１１などを配置した機器本体１２と、内面に表示部などを配置したカバ−体１３とをヒンジ１４によって連結して折り畳み自在となっている。
【０００３】
また、上記の携帯電話機は、カメラの撮影レンズ１５がカバ−体１３の外面に配設されており、その撮影レンズ１５を通った被写体像光が撮像素子で光電変換される。
そして、光電変換された画像情報が情報処理された後に書込みと読み出し可能な記憶媒体に記憶される。
【０００４】
さらに、上記の携帯電話機のカバ−体外面には、カメラ撮影のための被写体照明光源として白色発光ダイオ−ド１６が配置されている。
この白色発光ダイオ−ド１６は、暗い被写体のカメラ撮影時に被写体をスポット照明するものである。
その他、図３に示す参照符号１７は送話部、１８はアンテナを示す。
【０００５】
【発明が解決しようとする課題】
上記したように従来のカメラ付携帯電話機は、カメラ撮影の照明光源として白色発光ダイオ−ドを備えているが、白色発光ダイオ−ドの発光による被写体照明では、照明範囲と照明の明るさが不充分となる。
【０００６】
そこで、この種の携帯電話機に一般のカメラ撮影で使用する閃光発光器を内蔵させることが考えられるが、このような閃光発光器は、キセノン放電管を発光させる主コンデンサとして電解コンデンサを備えるために、このようなカメラ付携帯電話機には組み込むことが困難となる。
【０００７】
具体的には、電解コンデンサが所定の長さをもった円柱状体のものであることから、この電解コンデンサが携帯電話機に組み込むことができない。
【０００８】
つまり、現在の携帯電話機の厚み（機器本体１２とカバ−体１３の厚み方向の長さ）に比べて電解コンデンサの直径が大きいために、携帯電話機の厚さを増大しないかぎり組み込みができない。
【０００９】
しかも、携帯電話機は日増しに薄型化が進んでいることから、電解コンデンサを主コンデンサとして備える閃光発光器をカメラ付携帯電話機に内蔵することには無理が生じる。
【００１０】
上記の実情から、キセノン放電管を電解コンデンサの放電エネルギ−によって発光させる閃光発光器をカメラ付携帯電話機に外付けし、カメラ撮影の被写体照明として使用しているのが現状である。
【００１１】
そこで、本発明では、キセノン放電管の発光による被写体照明が可能な閃光発光器であってカメラ付携帯電話機に内蔵することができる閃光発光器を提供することを目的とする。
【００１２】
【課題を解決するための手段】
上記した目的を達成するため、本発明では、カメラ付携帯電話機に内蔵する閃光発光器において、主コンデンサを予め充電し、その充電エネルギ−をカメラ撮影に伴って放電させてキセノン放電管を発光させる閃光発光手段を備え、さらに、上記の主コンデンサは、並列接続した複数のチップ型コンデンサによって構成したことを特徴とする閃光発光器を提案する。
【００１３】
このように構成した閃光発光器は、キセノン放電管が複数のチップ型コンデンサの充電エネルギ−を受けて発光する。
この結果、カメラ付携帯電話機の撮影に際して充分な被写体照明を行なうことができる。
【００１４】
また、小形形態の複数のチップ型コンデンサを回路基板面上に配置した主コンデンサとなっているので、主コンデンサが薄型化し、カメラ付携帯電話機に充分に組み込むことができる。
【００１５】
さらに、複数のチップ型コンデンサを並列接続した主コンデンサ構成であるので、充電電圧を高めることができると共に、放電時のインピ−ダンスが低減してキセノン放電管の放電電流が増加することから、発光効率を高めることができる。
【００１６】
その上、複数のチップ型コンデンサを基板面上に配置することから、各コンデンサを集中配置させる必要がないので、携帯電話機の内部レイアウトによる高さ制限に対応することができる。
【００１７】
なお、チップ型コンデンサには、チップセラミックコンデンサ、チップタンタルコンデンサ、フイルムチップコンデンサなどを使用することができる。
【００１８】
【発明の実施の形態】
次に、本発明の一実施形態について図面に沿って説明する。
図１は、携帯電話機に内蔵する閃光発光器の回路例を示す図である。
【００１９】
この閃光発光器回路において、２１は昇圧トランスで、この昇圧トランス２１は、入力コイル２１Ｐ、出力コイル２１Ｓ、帰還コイル２１ｆを備えている。
【００２０】
また、この昇圧トランス２１は、整流用ダイオ−ド２２、抵抗２３とコンデンサ２４からなる時定回路、入力電流をＯＮ、ＯＦＦさせる発振トランジスタ２５、発振起動用の電界効果トランジスタ（ＦＥＴ）２６などと共にＤＣ−ＤＣコンバ−タを形成している。
【００２１】
このＤＣ−ＤＣコンバ−タは、ＦＥＴ２６が携帯電話機に備えられている制御回路より発振起動信号Ｓ１を入力することによって発振を開始する。
【００２２】
つまり、ＦＥＴ２６が発振起動信号Ｓ１をゲ−ト入力して導通することで、初トランジスタ２５がＯＮとなり、電池電源などの直流電源ＤＣより供給される直流電流が昇圧トランス２１の入力コイル２１Ｐに入力して発振の開始となる。
【００２３】
なお、発振トランジスタ２５は、時定回路によって加わるベ−ス〜エミッタ間電圧が帰還コイル２１ｆに発生する帰還電圧によって所定電圧以下となることでＯＮからＯＦＦに切換わるため、この発振トランジスタ２５がＯＮ、ＯＦＦを繰り返し、この動作でＤＣ−ＤＣコンバ−タが発振する。
【００２４】
ＤＣ−ＤＣコンバ−タの発振によって直流電源電圧が昇圧され、その出力電流がダイオ−ド２２で整流される。
したがって、この整流電流によって主コンデンサ２７が充電される。
【００２５】
なお、本実施形態の主コンデンサ２７は、４つのチップ型セラミックコンデンサ２７ａ、２７ｂ、２７ｃ、２７ｄを基板面上に配置すると共に、これら主コンデンサ２７ａ、２７ｂ、２７ｃ、２７ｄを並列接続した並列回路体としてＤＣ−ＤＣコンバ−タの出力側に接続してある。
【００２６】
上記の主コンデンサ２７は、各々のチップ型セラミックコンデンサ２７ａ〜２７ｄに蓄えられた充電エネルギ−をキセノン放電管２８を通して放電させ、キセノン放電管２８を発光させる。
【００２７】
キセノン放電管２８は、トリガ−回路によって励起電圧を印加して発光始動させる。
トリガ−回路は、トリガ−コンデンサ２９、トリガ−トランス３０、ＳＣＲ３１、充電抵抗３２、３３などによって形成してある。
【００２８】
このトリガ−回路は、携帯電話機の制御回路から送られるトリガ−信号Ｓ２がＳＣＲ３１のゲ−トに入力することにより、このＳＣＲ３１が導通し、トリガ−コンデンサ２９の充電電荷がＳＣＲ３１とトリガ−トランス３０の一次コイルを放電する。
【００２９】
これより、トリガ−トランス３０の二次コイルに発生した高電圧がキセノン放電管２８の励起電極に加わり、キセノン放電管２８が主コンデンサ２７の放電エネルギ−を受けて発光始動する。
【００３０】
また、定電圧ダイオ−ド３４、トランジスタ３５、３６、バイアス抵抗３７、３８は、レディ信号発生回路と発振停止回路とを形成するものである。
すなわち、主コンデンサ２７がキセノン放電管２８を発光させることができ所定の電圧まで充電されると、定電圧ダイオ−ド３４が導通し、また、このダイオ−ド３４の導通によりトランジスタ３５、３６がＯＮする。
【００３１】
したがって、トランジスタ３５のＯＮ信号が発光準備が整ったことを示すレディ信号Ｓ３として携帯電話機の制御回路に送られ、また、トランジスタ３６のＯＮによってＦＥＴ２６のゲ−トがＧＮＤ接続されるため、ＦＥＴ２６が非導通、発振トランジスタ２５がＯＦＦして発振停止となる。
【００３２】
その他、図１に示す参照符号３９はＦＥＴ２６の保護用ダイオ−ド、４０はＳＣＲ３１の動作安定用コンデンサ、４１、４２、４３、４４、４５は各々抵抗を示す。
【００３３】
図２は上記した閃光発光器を内蔵させたカメラ付携帯電話機の一例を示す斜視図である。
図示するように、このカメラ付携帯電話機は、白色発光ダイオ−ド１６に換えてキセノン放電管２８の発光窓４６がカバ−体１３の外面に設けてある。
なお、その他は図３に示した従来例のカメラ付携帯電話機と同様の構成となっている。
【００３４】
上記のように構成したカメラ付携帯電話機のカメラ撮影について、閃光発光撮影する場合の一例を説明すると、メニュ−ボタンを操作して、携帯電話機のメニュ−から撮影モ−ドを選択し、続いて、同ボタンの再操作により撮影モ−ドの中からフラッシュを選択する。
【００３５】
そして、撮影姿勢をとった状態でエントリ−キ−ボタンを操作し、シャッタレリ−ズすることにより、携帯電話機の制御回路からトリガ−信号Ｓ２が出力され、上記したようにキセノン放電管２８が発光する。
この結果、キセノン放電管２８の発光による被写体照明下に閃光発光撮影を行なうことができる。
【００３６】
以上、本発明の一実施形態について説明したが、主コンデンサ２７を形成するチップ型コンデンサの数は必要に応じて増減することができる。
【００３７】
【発明の効果】
上記した通り、本発明によれば、主コンデンサとして電解コンデンサを使用しないで、複数のチップ型コンデンサを並列接続して構成したので、厚さ幅の少ないカメラ付携帯電話機に内蔵することができる閃光発光器となる。
【図面の簡単な説明】
【図１】本発明の一実施形態として示した閃光発光器の回路図である。
【図２】本発明を実施したカメラ付携帯電話機の一例を示す斜視図である。
【図３】従来例として示したカメラ付携帯電話機の一例を示す斜視図である。
【符号の説明】
１１  ボタンキ−
１２  機器本体
１３  カバ−体
１５  撮影レンズ
２１  昇圧トランス
２５  発振トランジスタ
２６  ＦＥＴ
２７  主コンデンサ
２７ａ〜２７ｄ  チップ型セラミックコンデンサ
２８  キセノン放電管
４６  発光窓
【図１】
2004171820.tif 000003
【図２】
2004171820.tif 000004
【図３】
2004171820.tif 000005